(57)【要約】【課題】本発明は、カートリッジ給水タンクを空気清浄機本体内に収め、かつ空気清浄機本体の大きさがコンパクトな空気清浄機を提供することを目的とする。【解決手段】本発明は、気化フィルタに水を供給するカートリッジ給水タンクとを有する空気清浄機において、ファンモータは、ターボファンを含む遠心ファンと、遠心ファンを駆動し、かつ遠心ファン中央部内側の入り込むように置かれる電動機と、遠心ファンの吸い込み口を設けた吸い込み板と、遠心ファンの周り囲い、かつ吐出口に向かって遠心ファン外周との間隙が拡がる渦巻状のケーシングとを有し、フィルタユニットとファンモータとの間に置くカートリッジ給水タンクは、遠心ファン外周との間隙が狭い方側に来るように配置し、気化フィルタは、カートリッジ給水タンクの反対側に寄せて配置したことを特徴とする。【選択図】図１
2007010230.tif 000002
【特許請求の範囲】
【請求項１】
空気が流通するフィルタユニットと、このフィルタユニットの下流側に設けられたファンモータと、前記フィルタユニットと前記ファンモータとの間に配置され、前記空気に加湿する気化フィルタと、前記気化フィルタに水を供給するカートリッジ給水タンクとを有する空気清浄機において、
前記ファンモータは、ターボファンを含む遠心ファンと、前記遠心ファンを駆動し、かつ遠心ファン中央部内側の入り込むように置かれる電動機と、前記遠心ファンの吸い込み流を導く吸い込み板と、前記遠心ファンの周りを囲い、かつ吐出口に向かって遠心ファン外周との間隙が拡がる渦巻状のケーシングとを有し、
前記フィルタユニットと前記ファンモータとの間に置く前記カートリッジ給水タンクは、前記遠心ファン外周との間隙が狭い方側に来るように配置し、
前記気化フィルタは、前記カートリッジ給水タンクの反対側に寄せて配置したことを特徴とする空気清浄機。
【請求項２】
請求項１記載の空気清浄機において、
空気清浄機は、前記フィルタユニット、気化フィルタ、および前記ファンモータを内置する本体枠体を有し、
前記本体枠体は、側面に前記カートリッジ給水タンクが着脱自在に収まるタンク収納凹部を有し、
前記タンク収納凹部は、前記カートリッジ給水タンクが縦に収納されるように縦方向に延在するように形成され、かつ収まるカートリッジ給水タンクが前記本体枠体の側面とほぼ面一に収まる程度の奥行き深さを有することを特徴とする空気清浄機。
【請求項３】
空気が流通するフィルタユニットと、このフィルタユニットの下流側に設けられたファンモータと、前記フィルタユニットと前記ファンモータとの間に配置され、前記空気に加湿する気化フィルタと、前記気化フィルタが着脱自在に取り付けられ、気化フィルタに水を浸みらせる水が溜まる貯溜水タンクと、前記貯溜水タンクに着脱自在に取り付けられ、貯溜水タンクに水を補充するカートリッジ給水タンクとを有する空気清浄機において、
前記貯溜水タンクは、上部に設けられ、かつ前記気化フィルタが着脱自在される取り付け開口と、前記取り付け開口の周縁に立ち上がるフィルタ支持部とを有し、
前記気化フィルタは、前記フィルタ支持部の内周に接合し、水の流出を抑えるシールパッキングを有することを特徴とする空気清浄機。
【請求項４】
請求項３記載の空気清浄機において、
前記気化フィルタは、不織繊維を波形に形成した通水性、通気性を有し、
前記気化フィルタの外周を囲うように設けた前記シールパッキングは、ウレタンゴム．ウレタンフォームを含む弾性の合成樹脂で形成し、かつ合成樹脂の層で前記気化フィルタの波間が埋まることを特徴とする空気清浄機。
【請求項５】
空気が流通するフィルタユニットと、このフィルタユニットの下流側に設けられたファンモータと、前記フィルタユニットと前記ファンモータとの間に配置され、前記空気に加湿する気化フィルタと、前記気化フィルタが着脱自在に取り付けられ、気化フィルタに水を浸みらせる水が溜まる貯溜水タンクと、前記貯溜水タンクに着脱自在に取り付けられ、貯溜水タンクに水を補充するカートリッジ給水タンクとを有する空気清浄機において、
前記カードリッジ給水タンクは補充水の出入口を有し、前記出入口に着脱自在に取り付けられ、かつ弁体を有するキャップを備え、
前記貯溜水タンクは、上側が開口するタンク本体と、前記タンク本体の開口を閉鎖するように着脱自在の取り付けられるタンク本体蓋とを有し、
前記タンク本体蓋は、前記気化フィルタが着脱自在される取付開口と、前記カートリッジ給水タンクのキャップが着脱自在に嵌る給水受口とを有し、
空気清浄機が前側を下にして横倒しにした際に、前記給水受口の中心が前記取付開口の中心よりも上側に位置することを特徴とする空気清浄機。
【請求項６】
請求項５記載の空気清浄機において、
前記タンク本体と前記タンク本体蓋との結合部は、水密的な嵌合構造であることを特徴とする空気清浄機。
【請求項７】
請求項５記載の空気清浄機において、
前記タンク本体蓋は、上面外周縁に隆起する堤部を設けたことを特徴とする空気清浄機。
【請求項８】
主部枠体と前部枠体とを有する本体枠体と、前記主部枠体の下部に設けられた支持ベースと、前記主部枠体の前側に取り外し自在に設けられる前面パネルと、前記主部枠体の内部後側に備えられるファンモータと、前記ファンモータと前記前面パネルとの間に位置するように前記本体枠体内に置かれるフィルタユニットと、前記支持ベース上に置かれるように本体枠体内に設けられ、かつフィルタユニットを載置するフィルタ支持台とを有し、
前記支持ベースの前端側と前記前面パネルの前端側が面一であることを特徴とする空気清浄機。
【請求項９】
主部枠体と前部枠体とを有する本体枠体と、前記主部枠体の下部に設けられた支持ベースと、前記主部枠体の前側に取り外し自在に設けられる前面パネルと、前記主部枠体の内部後側に備えられるファンモータと、前記ファンモータと前記前面パネルとの間に位置するように前記本体枠体内に置かれるフィルタユニットと、前記支持ベース上に置かれるように本体枠体内に設けられ、かつフィルタユニットを載置するフィルタ支持台と、前記フィルタユニットと前記ファンモータとの間に配置され、前記フィルタユニットを通過する空気に加湿する気化フィルタと、前記フィルタ支持台と一体に形成され、気化フィルタに浸みらせる水が溜まる貯溜水タンクと、前記貯溜水タンクに着脱自在に取り付けられ、貯溜水タンクに水を補充するカードリッジ給水タンクとを有し、
前記支持ベースの前端側と前記前面パネルの前端側が面一であることを特徴とする空気清浄機。
【請求項１０】
請求項８記載の空気清浄機において、
前記本体枠体、前記支持ベース、前記前面パネル、前記フィルタ支持台は抗菌剤を含有する合成樹脂で形成されたことを特徴とする空気清浄機。
【請求項１１】
請求項９記載の空気清浄機において、
前記本体枠体、支持ベース、前面パネル、フィルタ支持台、貯溜水タンク、カートリッジ給水タンクが抗菌剤を含有する合成樹脂で形成されたことを特徴とする空気清浄機。
【発明の詳細な説明】
【技術分野】
【０００１】
本発明は、空気中の埃や塵等の微粒子、臭いやホルムアルデヒド等の成分物質を除去する空気清浄機に関する。
【背景技術】
【０００２】
空気清浄機は、例えば、特開２００１−７９４４４号公報（特許文献１）に示すように、空気中の微粒子に帯電させるイオン化装置と、集塵用の濾材と活性炭とからなる集塵脱臭フィルタとを有する。
【０００３】
また、別の空気清浄機は、空気が流通するフィルタユニットと、このフィルタユニットの下流側に設けられたファンモータと、フィルタユニットとファンモータとの間に設けた気化フィルタと、イオン発生手段と、気化フィルタに供給される水の補充を行なうカートリッジ給水タンクを有する。そして、カートリッジ給水タンクの着脱自在が行なわれると、表示装置に着脱が表示されるようになっている。
【０００４】
【特許文献１】特開２００１−７９４４４号公報
【発明の開示】
【発明が解決しようとする課題】
【０００５】
カートリッジ給水タンクは貯留容量が１Ｌ程度のサイズを有するので、空気清浄機本体から突出すると体裁を損ねる。カートリッジ給水タンクを空気清浄機本体内収まるようにすると、空気清浄機本体の大きさが大きくなる。
【０００６】
本発明は、上記の問題に対処し、カートリッジ給水タンクを空気清浄機本体内に収め、かつ空気清浄機本体の大きさがコンパクトな空気清浄機を提供することにある。
【課題を解決するための手段】
【０００７】
本発明は、気化フィルタに水を供給するカートリッジ給水タンクとを有する空気清浄機において、ファンモータは、ターボファンを含む遠心ファンと、遠心ファンを駆動し、かつ遠心ファン中央部内側の入り込むように置かれる電動機と、遠心ファンの吸い込み流を導く吸い込み板と、遠心ファンの周り囲い、かつ吐出口に向かって遠心ファン外周との間隙が拡がる渦巻状のケーシングとを有し、フィルタユニットとファンモータとの間に置くカートリッジ給水タンクは、遠心ファン外周との間隙が狭い方側に来るように配置し、気化フィルタは、カートリッジ給水タンクの反対側に寄せて配置したことを特徴とする。
【発明の効果】
【０００８】
本発明によれば、カートリッジ給水タンクを空気清浄機本体内に収め、かつ空気清浄機本体の大きさがコンパクトな空気清浄機を提供することができる。
【発明を実施するための最良の形態】
【０００９】
本発明の実施例について、図に沿って説明する。
【００１０】
まず、図１〜図４を引用して空気清浄機の概要から述べる。
【００１１】
図１、図２に示すように、本体枠体１は主部枠体２と前部枠体３を有する。本体枠体１の前面には、前面パネル４が取り付けられる。
【００１２】
本体枠体１は、内部にフィルタユニット５、気化フィルタ６、ファンモータ７を備える。フィルタユニット５、気化フィルタ６は、前部枠体３側に位置する。ファンモータ７は、主部枠体２側に位置する。ファンモータ７は、ターボファン７ａ、電動機７ｂを有する。
【００１３】
主部枠体２は、内部にファンケーシング８を有する。ファンケーシング８内にファンモータ７が置かれる。ターボファン７ａに吸い込み流を導く吸い込み板９は、前部枠体３に形成される。
【００１４】
制御装置１０は、本体枠体１の前側上部に備えられる。この制御装置１０により、空気清浄機の運転が制御される。表示装置（図示せず）は、制御装置１０の近くに設けられる。
【００１５】
空気は、前面パネル４の吸気口１１から吸い込まれ、フィルタユニット５内を流通して塵埃の除去が行なわれる。また、空気に含まれる臭いやホルムアルデヒド等の成分物質を除去する。
【００１６】
気化フィルタ６は、塵埃や臭いやホルムアルデヒド等の成分物質が除去された空気に水分を加湿する。そして、ファンモータ７に吸い込まれた空気は、送風口１２から空気清浄機の外部に送風される。
【００１７】
図１、図３、図４に示す、カートリッジ給水タンク１３は、気化フィルタ６に水分を浸み込ませる貯溜水タンク１４に水を補充する。このカートリッジ給水タンク１３は、本体枠体１の側面に取り外し自在に備わる。
【００１８】
図示されていないが、カートリッジ給水タンク１３の底部に設けたキャップは、水の出口を塞ぐ弁体を有する。カートリッジ給水タンク１３を本体枠体１からは外すと、弁体は出口を塞ぎ、本体枠体１に装着すると、弁体は出口を開くように作動する。カートリッジ給水タンク１３の着脱は、タンク検知スイッチにて検知されるようになっている。
【００１９】
図５に示すように、フィルタ支持台１５は貯溜水タンク１４と一体に形成される。フィルタ支持台１５は、図１、図４に示すように、上面にフィルタユニット５を載置する。
【００２０】
フィルタユニット５は、図４に示すように本体枠体１を構成する前部枠体３の前側の空間に収まるように置かれる。その空間の奥側に、吸い込み板９が存在する。
【００２１】
本体枠体１は、主部枠体２と前部枠体３の突合せ接合部１６を側面前側部に有する。前部枠体３は、前側からねじ込むネジ（図示せず）で、主部枠体２に締め付けられる。
【００２２】
ファンモータ７のターボファン７ａは、前部枠体３が主部枠体２に取り付けられる前に、前部枠体３の前側からファンケーシング８内に組み込まれる。電動機７ｂは主部枠体２に設けられる電動機支持カバー部１７に嵌め込み支持される。電動機７ｂの電動機支持カバー部１７への嵌め込みは、主部枠体２の裏側から行なう。電動機７ｂは裏蓋１８で覆われる。
【００２３】
電動機７ｂが嵌め込まれる電動機支持カバー部１７は、遠心ファンの中央部内側に入り込むように構成になっているので、電動機７ｂが本体枠体１の後側に突き出すことがなく、空気清浄機の奥行きを薄くコンパクトにまとめることができる。
【００２４】
貯溜水タンク１４と一体なるフィルタ支持台１５は、図２、図４に示すように、主部枠体２の下部に一体に形成された支持ベース１９上に置かれる。
【００２５】
フィルタ支持台１５の前端と前部枠体３の前面は面一であるが、支持ベース１９の前端は、前部枠体３の前面より前面パネル４の厚さ分だけ突き出している。前面パネル４が取り付けられると、支持ベース１９の前端と前面パネル４の前面が面一になる。面一にしたメリットは、後述する。
【００２６】
前面パネル４は、上側に設けた掛け部（図示せず）を前部枠体３の上側に引っ掛け、下側に設けた係止突起（図示せず）を前部枠体３の下側の係止孔３０に係止して固定する。このような固定になっているので、フィルタユニット５のメンテナンスに際しては、前面パネル４は、容易に外すことができる。
【００２７】
図２、図３、図４に示すように、ファンモータ７は、ターボファン７aを含む遠心ファンと、遠心ファンを駆動し、かつ遠心ファン中央部内側の入り込むように置かれる電動機７ｂとを有する。前部枠体３は、遠心ファンに吸い込み流れを導く吸い込み板９を有する。
【００２８】
主部枠体２は、遠心ファンの周りを囲い、かつ吐出口に向かって遠心ファン外周との間隙が拡がる渦巻状のケーシング８を有する。フィルタユニット５とファンモータ７との間にカートリッジ給水タンク１３が置かれる。そして、カートリッジ給水タンク１３は、遠心ファン外周との間隙が狭い方側に来るように配置し、気化フィルタ６をカートリッジ給水タンク１３の反対側に寄せて配置した。
【００２９】
このように、吐出口に向かって遠心ファン外周との間隙が拡がる渦巻状のケーシング８と、フィルタユニット５とファンモータ７との間にカートリッジ給水タンク１３が置かれるカートリッジ給水タンク１３を遠心ファン外周との間隙が狭い方側に来るように配置し、かつ気化フィルタ６をカートリッジ給水タンク１３の反対側に寄せることにより、空気清浄機の本体枠体１内にカートリッジ給水タンク１３を収めることができる。
【００３０】
このため、空気清浄機の本体枠体１を大きくすることなく、カートリッジ給水タンク１３が空気清浄機の本体枠体１に収まるので、コンパクトで体裁が良の良い空気清浄機を提供できる。
【００３１】
カートリッジ給水タンクの収納について更に詳しく述べる。
【００３２】
図３、図４に示すように、本体枠体１の主部枠体２は、側面にカートリッジ給水タンク１３が収まるタンク収納凹部３１を有する。カートリッジ給水タンク１３は、タンク収納凹部３１に着脱自在に取り付けられる。カートリッジ給水タンク１３は、上側に止め具（図示せず）を備える。カートリッジ給水タンク１３は、本体枠体１から外れないように止め具で、係止される。
【００３３】
カートリッジ給水タンク１３は、表側の側面に縦に走る窓３２を有する。この窓３２より、カートリッジ給水タンク１３内に溜まる水量を見ることができる。
【００３４】
タンク収納凹部３１は、カートリッジ給水タンク１３が縦に置かれるように主部枠体２に縦方向に延在するように形成される。タンク収納凹部３１はカートリッジ給水タンク１３が本体枠体１の側面とほぼ面一に収まる程度の奥行き深さを有する。カートリッジ給水タンク１３と本体枠体１の側面がほぼ面一になるので、凹凸がなく外観の体裁が良い。
【００３５】
タンク収納凹部３１は、フィルタユニット５とファンモータ７との間に位置する。しかも、タンク収納凹部３１は、遠心ファン外周とケーシング８との間隙が狭い方側に来るように配置する。そして、気化フィルタ６をタンク収納凹部３１の反対側に寄せる。このような配置構成にすることにより、タンク収納凹部３１を設けても本体枠体１を大きくすることなく、コンパクトにまとめることができる。
【００３６】
図５に示すように、貯溜水タンク１４は、上側が開口するタンク本体３３と、タンク本体３３の開口を閉鎖するように着脱自在の取り付けられるタンク本体蓋３４とを有する。貯溜水タンク１４は、別体のタンク本体３３と、タンク本体蓋３４を組み合わせて構成するので、ブロー成形する一体物に比べ、成形が容易で作り易い。また、タンク本体蓋３４を外してタンク本体３３内を洗うことができるので、一体物に比べ極めて容易に掃除を行なうことができる。
【００３７】
タンク本体蓋３４とタンク本体３３との結合部は、水密的な嵌合構造である。空気清浄機を持ち運ぶ際に、貯溜水タンク１４内の水が波立っても、結合部から水漏れが生じない。また、図１０に示すように倒れても、取り付け部分からの水漏れは生じない。
【００３８】
図５、図６、図７、図９に示すように、タンク本体蓋３４は、気化フィルタ６が差し込まれる取付開口３５の周縁に立ち上がるフィルタ支持部３６を有する。気化フィルタ６は、立ち上がった高さ方向の巾があるフィルタ支持部３６により支持されるので、傾斜することなく、立てた状態に確実に支持される。また、気化フィルタ６が広い範囲で支持されるので、容易に折れ曲がったり、座屈したりすることが生じ難い。
【００３９】
タンク本体蓋３４は、カードリッジ給水タンク１３のキャップが着脱自在に嵌る給水受口３７を有する。この給水受口３７の中心は、空気清浄機が前側を下にして横倒しにした際（貯溜水タンク１４は図１０に示すようになる）に、取付開口３５の中心よりも上側に位置するように設けられている。
【００４０】
このため、横倒しになっても、タンク本体蓋３４内の水は、半分程度は流出することなく残すことができる。
【００４１】
なお、取付開口３５から水が流出しない理由は後述する。
【００４２】
図９に示すように、タンク本体蓋３４は、上面外周縁に隆起する堤部３８を有する。給水受口３７から多少の水が漏れ出しても、堤部３８で受けられるので、床を濡らさずに済む。
【００４３】
図８に示すように、気化フィルタ６は、不織繊維を波形に形成した通水性、通気性を有する。この気化フィルタは、フィルタ支持部３６に位置する外周にシールパッキング３９を有する。シールパッキング３９は、ウレタンゴム．ウレタンフォームを含む弾性の合成樹脂で形成され、気化フィルタ６の外周を囲うように設ける。
【００４４】
シールパッキング３５は、気化フィルタ６の周を囲うとともに合成樹脂の層で、気化フィルタ６の波間を埋めるようにしている。
【００４５】
このシールパッキング３９により、タンク本体蓋３４の取付開口３５と気化フィルタ６との隙間が塞がるとともに気化フィルタ６の波間も塞がるので、貯溜水タンク１４の取付開口３５からの水流出を阻止できる。
【００４６】
前面パネルの脱落防止について、図１１を引用して説明する。
【００４７】
図１１の（ａ−１）、（ａ−２）は、本発明の実施例を示す。
【００４８】
図１１の（ｂ−１）、（ｂ−２）は、本発明の実施例と比較する比較例を示す。
【００４９】
（ａ−１）、（ｂ−１）は、空気清浄機が立っている状態を示す。（ａ−２）、（ｂ−２）は、空気清浄機が倒れた状態を示す。
【００５０】
（ａ−１）、（ａ−２）に示す実施例は、支持ベース１９の前端側が前面パネル４の前面と面一である。
【００５１】
これに対し、（ｂ−１）、（ｂ−２）に示す比較例は、支持ベース１９の前端側が前面パネル４の前面よりもＬ寸法だけ突き出している。
【００５２】
空気清浄機が倒れたときに比較例では（ｂ−２）で示すように、前面パネル４が床面５０から離れた状態になる。フィルタユニット５の重みが、前面パネル４にかかる。このため、前面パネル４の係止突起（図示せず）が前部枠体３の下側の係止孔３０から外れて前面パネル４が脱落する。
【００５３】
これに対し、本発明の実施例では、（ａ−２）で示すように、前面パネル４が床面５０に接する状態になる。フィルタユニット５の重みが、前面パネル４にかかっても前面パネル４は脱落することはない。
【００５４】
かび発生の抑制について説明する。
【００５５】
本体枠体１を構成する主部枠体２、前部枠体３、支持ベース１９、前面パネル４、ターボファン７ａ、ファンケーシング８、吸い込み板９、貯溜水タンク１４、カートリッジ給水タンク１３、フィルタ支持台１５は合成樹脂で形成される。
【００５６】
この合成樹脂に抗菌材を含ませることにより、かびの発生を抑えることができる。
【００５７】
上記実施例では、気化フィルタを有する加湿式の空気清浄機について述べたが、気化フィルタを備えない乾式の空気清浄機にも本発明は適用できる。
【００５８】
加湿式の空気清浄機では、少なくとも、貯溜水タンク１４、カートリッジ給水タンク１３には抗菌材を含ませることが肝心である。
【図面の簡単な説明】
【００５９】
【図１】本発明の実施例を示すもので、カートリッジ給水タンクが備わる方から空気清浄機を見た外観側斜視図。
【図２】本発明の実施例を示すもので、空気清浄機を側面方向から見た縦断面図。
【図３】本発明の実施例を示すもので、図２のＡ―Ａ断面図。
【図４】本発明の実施例を示すもので、図３を斜め上方から見た図。
【図５】本発明の実施例を示すもので、気化フイルタと貯溜水タンクの組合わせを示す断面図。
【図６】本発明の実施例を示すもので、気化フイルタと貯溜水タンクの組合わせを斜め前側から見た斜視図。
【図７】本発明の実施例を示すもので、気化フイルタと貯溜水タンクの組合わせを斜め後側から見た斜視図。
【図８】本発明の実施例を示すもので、気化フイルタの単体を示す斜視図。
【図９】本発明の実施例を示すもので、タンク本体蓋を斜め上から見た拡大斜視図。
【図１０】本発明の実施例を示すもので、気化フイルタと貯溜水タンクの組合わせを倒した状態を示す斜視図。
【図１１】本発明の実施例を示すもので、空気清浄機を前向き倒したときに前面パネルが外れない理由を説明するための図。
【符号の説明】
【００６０】
６…気化フィルタ、１３…カートリッジ給水タンク、７…ファンモータ、７a…ターボファン、７b…電動機、９…吸い込み板、８…ケーシング、５…フィルタユニット。
【図１】
2007010230.tif 000003
【図２】
2007010230.tif 000004
【図３】
2007010230.tif 000005
【図４】
2007010230.tif 000006
【図５】
2007010230.tif 000007
【図６】
2007010230.tif 000008
【図７】
2007010230.tif 000009
【図８】
2007010230.tif 000010
【図９】
2007010230.tif 000011
【図１０】
2007010230.tif 000012
【図１１】
2007010230.tif 000013